(57)【特許請求の範囲】
【請求項１】
基材上の少なくとも一部に印刷要素が配列された偽造防止領域を有し、
前記偽造防止領域は、背景可視画像部、可視画像部、背景潜像画像部及び潜像画像部を有し、
前記背景可視画像部は、複写機で再現可能な第１ａの印刷要素と、複写機で複写した場合に元の画線幅が保持できない第１ｂの印刷要素が一定のピッチで交互に複数配列されて成る第１の領域と、複写機で再現不可能な第２ａの印刷要素と、複写機で複写した場合に元の画線幅が保持できない第２ｂの印刷要素が一定のピッチで交互に複数配列されて成る第２の領域から成り、
前記可視画像部は、複写機で再現可能な第３ａの印刷要素と、複写機で複写した場合に元の画線幅が保持できない第３ｂの印刷要素が一定のピッチで交互に複数配列されて成る第３の領域と、複写機で再現不可能な第４ａの印刷要素と、複写機で複写した場合に元の画線幅が保持できない第４ｂの印刷要素が一定のピッチで交互に複数配列されて成る第４の領域から成り、
前記背景潜像画像部は、前記第１の領域及び前記第４の領域から成り、
前記潜像画像部は、前記第２の領域及び前記第３の領域から成り、
前記第１ａの印刷要素、前記第２ａの印刷要素、前記第３ａの印刷要素及び前記第４ａの印刷要素は有色インキから成り、前記第１ｂの印刷要素、前記第２ｂの印刷要素、前記第３ｂの印刷要素及び前記第４ｂの印刷要素は光沢性又は光輝性インキから成り、
前記第１の領域と前記第２の領域は濃度が等しく、前記第３の領域と前記第４の領域は濃度が等しく、かつ、前記第３の領域と前記第４の領域の濃度と、前記第１の領域と前記第２の領域の濃度が異なって成る印刷物であって、
前記印刷物は、前記背景可視画像部及び前記可視画像部の濃度差によって可視画像が視認され、前記印刷物を複写機で複写した場合に前記第１の領域と前記第３の領域は略等濃度で視認され、前記第２の領域と前記第４の領域は略等濃度で視認されることで、前記可視画像が消失し、前記潜像画像部及び前記背景潜像画像部の濃度差によって潜像画像が顕在化することを特徴とする偽造防止用印刷物。
【請求項２】
前記第１ａの印刷要素、前記第１ｂの印刷要素、前記第２ａの印刷要素、前記第２ｂの印刷要素は、前記第３ａの印刷要素、前記第３ｂの印刷要素、前記第４ａの印刷要素及び前記第４ｂの印刷要素は、画線及び／又は画素で形成されることを特徴とする請求項１記載の偽造防止用印刷物。
【請求項３】
前記第１ａの印刷要素、前記第１ｂの印刷要素、前記第２ａの印刷要素、前記第２ｂの印刷要素、前記第３ａの印刷要素、前記第３ｂの印刷要素、前記第４ａの印刷要素及び前記第４ｂの印刷要素が画線で形成される場合、前記第１ａの印刷要素及び前記第２ａの印刷要素は同一画線上に配置され、前記第１ｂの印刷要素及び前記第２ｂの印刷要素が同一画線上に配置され、前記第３ａの印刷要素及び前記第４ａの印刷要素は同一画線上に配置され、前記第３ｂの印刷要素及び前記第４ｂの印刷要素が同一画線上に配置されることを特徴とする請求項１又は２記載の偽造防止用印刷物。
【請求項４】
前記第２ａの印刷要素及び／又は前記第４ａの印刷要素が画線で形成される場合、前記第２ａの印刷要素及び／又は前記第４ａの印刷要素は、画線部と非画線部が一定の周期で繰り返される破断線で形成されることを特徴とする請求項１乃至３いずれか一項記載の偽造防止用印刷物。
【請求項５】
前記第１ｂの印刷要素、前記第２ｂの印刷要素、前記第３ｂの印刷要素及び前記第４ｂの印刷要素が画線で形成される場合、実線で形成されることを特徴とする請求項１乃至３いずれか一項記載の偽造防止用印刷物。
【請求項６】
前記第１ａの印刷要素及び前記第２ａの印刷要素の所定領域の面積率が等しく、前記第１ｂの印刷要素及び前記第２ｂの印刷要素の所定領域の面積率が等しいことで、前記第１の領域と前記第２の領域の濃度が等しく、前記第３ａの印刷要素及び前記第４ａの印刷要素の所定領域の面積率が等しく、前記第３ｂの印刷要素及び前記第４ｂの印刷要素の所定領域の面積率が等しいことで、前記第３の領域と前記第４の領域の濃度が等しいことを特徴とする請求項１乃至５いずれか一項記載の偽造防止用印刷物。
【請求項７】
前記有色インキは、基材に印刷した場合に反射濃度０．８以上を成し、前記光沢性又は前記光輝性インキは、金又は銀インキであることを特徴とする請求項１乃至６いずれか一項記載の偽造防止用印刷物。
【発明の詳細な説明】
【技術分野】
【０００１】
本発明は、銀行券、株券、債券等の有価証券、各種証明書、重要書類等の偽造、改竄を防止する必要性がある印刷物において、カラー複写機又はモノクロ複写機により複写した場合に容易に真偽判別できる偽造防止用印刷物に関するものである。
【背景技術】
【０００２】
銀行券、株券、債券等の有価証券、各種証明書、重要書類等の印刷物において偽造、改竄防止策は重要な要素である。これら印刷物の偽造、改竄防止策は、主に、幾何学模様を多様化した図柄をデザインに用いる方法と、印刷物に対し、何等かの手段と作用を加えることで目視では認識できなかった潜像を現出するような方法がある。前者の代表的な例は、証券印刷物等のデザインに広く用いられている地紋、彩紋模様及びレリーフ模様等があり、後者の代表的な例は、潜像凹版、カラー複写機で色が正常に再現されないような機能性インキ、コピー防止画線等がある。
【０００３】
前記の幾何学模様を用いる偽造、改竄防止策としては、地紋、彩紋模様、レリーフ模様等があり、基本的に一定の画線幅による曲画線の集合によって模様を構成しているものである。これらの模様は、印刷物のデザイン等の意匠性を加味し、偽造、改竄防止策を施すことができ、模様を複雑にすることによって、偽造物における同一の模様を作製することを困難とし、写真製版装置による抽出、又は、カラー複写機では再現されにくい色彩を用いることや、複雑な曲画線を用いることでカラー複写機、モノクロ複写機又はスキャナの走査入出力に対してモアレを発生させることで偽造防止策としての役割を高めている。また、前記模様類は、証券印刷物等のデザインにおいて世界的に広く用いられていると同時に、銀行券、株券、債券等の金銭的価値を有する印刷物の模様として古くから用いられ、現在でも一般的に高級感を印象づけるデザインとして重要な模様となっている。したがって、銀行券、株券、債券等の有価証券、各種証明書、重要書類等の印刷物において、地紋、彩紋模様、レリーフ模様等は、デザイン上欠かすことのできない模様である。しかし、最近では高機能化した写真製版装置、カラー複写機又はモノクロ複写機の出現によって充分な偽造、改竄防止効果をもたらしていないという欠点がある。
【０００４】
また、前述の印刷物に対し、何等かの手段と作用を加えることで、目視では認識できなかった潜像が現出するような方法の代表的な技術として、一般的にコピー防止画線と称する一連の技術がある。また、用紙の表面に網点で潜像を印刷し、万線で潜像と同濃度の背景を同時印刷し、背景を含む潜像の上面に装飾模様をコピーで再現されない程度の薄色の透明性インキで重ね刷りすることにより、印刷物表面を体裁よく仕上げ、複写機で複写した場合に模様は見えなくなり、背景は再現されると共に潜像は再現されず、背景と潜像の濃度差が歴然となって複写物であることが一見して分かるといった方法は、これまでも数多くの出願がある。
【０００５】
それら発明の多くは、網点もしくは万線等の点及び線が一定周期で連続配置する画線群（以下「スクリーンパターン」という。）の粗密によって潜像が施され、印刷物に示すように、印刷面全体の模様が均一濃度を持ったスクリーンパターンとなっている。この潜像が施された印刷物において、カラー複写機又はモノクロ複写機によって複写した際、再生されない密構成のスクリーンパターンと、再生される粗構成のスクリーンパターンとは、複写物の模様に示すように濃度差が生じて、再生される粗構成のスクリーンパターンに対して、再生されない密構成のスクリーンパターンの潜像部分が現出するようにして、複写物であることが一目瞭然となるようにしたものである。
【０００６】
また、本願出願人も、用紙表面に網点又は万線等のパターンからなる潜像と、該潜像周囲に前述の潜像とは粗密が異なるパターンからなる背景を１色で同時印刷した印刷物において、該潜像を施した潜像模様が肉眼では識別されないことを特徴とする複写防止に適する印刷物として、潜像をカモフラージュするための別の模様や薄色の透明インキ、さらには、淡色の重ね刷りを施さず、白抜きの円形模様や、全面的なスクリーンパターンに対する部分的なスクリーンパターンの網点パーセントを増加した同心円模様等で、カモフラージュする方法を既に出願している（例えば、特許文献１参照）。しかし、印刷面全体がスクリーンパターンであるという特徴から、近年の高機能化した製版及び印刷出力装置では、その画線構成が容易に再現できてしまう問題があった。
【０００７】
また、万線と網点のいずれか一方を構成子として潜像を形成し、かつ、他方を構成子として背景を形成し、万線が５０線１０％、網点が１５０線１０％であるフィルム原版において、潜像の画線と背景の画線の全体をカモフラージュするために、１７５線１０％の網点からなる地紋を組み込み、一度刷りで用紙に印刷を施すという画線構成が既に出願されている（例えば、特許文献２参照）。しかし、全体に１７５線１０％の網点からなる地紋は、潜像又は背景を構成する万線及び網点と一部連結して大きくなることから複写機で複写した場合に再現されることがあり、地紋が完全に消えることがない。
【０００８】
そこで、これらの問題点を解決するために、本願出願人は、カラー複写機又はモノクロ複写機に対してより効果のあるものにするために、更に改良を加えた。具体的には、曲線状の集合模様を、潜像を施さない部分の画線を連続線、潜像を施した部分の画線を基本線方向に一定の間隔で配列された形状の画線からなる定周期断絶線で構成し、潜像を施した部分の定周期断絶線のうち、基本線方向に連続した一つの画線部と非画線部からなる一周期に相当する部分の画線面積の総和が、潜像を施さない部分の連続線のうち、前述の潜像を施した部分の画線部と非画線部からなる一周期と同一の長さに相当する部分の画線面積と等しくし、更に、前記潜像を施した部分の定周期断絶線となっている画線において、定周期断絶線の画線同士が交差する部分で、前記画線同士のどちらか一方の画線を、もう一方の画線の画線幅の範囲内で削除することを特徴とした、複写防止模様の作成方法及びその印刷物を出願している（例えば、特許文献３参照）。
【０００９】
さらに、本願出願人は、直線又は曲線状の１本又は複数の直線又は曲線からなる画線模様を、潜像を施さない部分の画線を実線で、潜像を施した部分の画線を基本線方向を基準として等距離に複数に分岐し、複数に分岐した画線がそれぞれ一定の間隔で配列された形状の画線からなる定周期断絶線で構成した印刷物において、潜像を施した部分の画線は基本線方向に複数に分岐した画線部と非画線部からなる一周期に相当する部分の画線面積の総和が、潜像を施さない部分の実線のうち、前述の潜像を施した部分の画線部と非画線部からなる一周期と同一の長さに相当する部分の画線面積と等しくすることにより、非視認性となり、複写前に視認させる画像を構成する画線は、前述の潜像を施した部分の画線部と非画線部からなる一周期と同一の長さに相当する部分の画線面積より大きくするといった印刷物を出願している（例えば、特許文献４参照）。この印刷物は、カラー複写機又はモノクロ複写機での複写後には、不可視画像であった潜像が現れ、そして、可視画像であった模様が入れ替わるように観察できることで真偽判別性を高めている。
【先行技術文献】
【特許文献】
【００１０】
【特許文献１】特許第２６９５５２３号公報
【特許文献２】登録実用新案第３０１０３６５号公報
【特許文献３】特許第３２６８４１８号公報
【特許文献４】特許第３６８９７８６号公報
【発明の開示】
【発明が解決しようとする課題】
【００１１】
特許文献１乃至４で示した印刷物は、カラー複写機又はモノクロ複写機での複写後には潜像画像が現れ、印刷物の真偽判別において判別性をより高めるものとして有効とされている。その一方、近年のカラー複写機又はモノクロ複写機の更なる高機能化、高画質化により、その潜像画像の出現の作用が低下してきている問題があった。よって、より一層効果の高い偽造、改竄防止策を有する印刷物の開発が望まれていた。
【００１２】
また、特許文献１、３又は４で示した印刷物は、複写前のオリジナルの印刷物の潜像画像を形成した箇所が若干の濃度の違いによって違和感があるように視認される、つまり、何らかの情報が埋め込まれていると視認されてしまう問題があった。この問題を解決するために、引用文献１で示されたように、あらかじめ潜像画像が視認されないようにカモフラージュを施す必要があった。
【００１３】
本発明は、前述した課題の解決を目的とするものであり、あらかじめ潜像画像を形成した箇所に違和感がなく、潜像画像が視認されないようにカモフラージュを施す必要がなく、高機能化、高画質化となった複写機で複写された場合であっても、可視画像と潜像画像のチェンジングに優れる偽造防止用印刷物を提案するものである。
【課題を解決するための手段】
【００１４】
本発明の偽造防止用印刷物は、基材上の少なくとも一部に印刷要素が配列された偽造防止領域を有し、偽造防止領域は、背景可視画像部、可視画像部、背景潜像画像部及び潜像画像部を有し、背景可視画像部は、複写機で再現可能な第１ａの印刷要素と、第１ｂの印刷要素が一定のピッチで交互に複数配列されて成る第１の領域と、複写機で再現不可能な第２ａの印刷要素と、第２ｂの印刷要素が一定のピッチで交互に複数配列されて成る第２の領域から成り、可視画像部は、複写機で再現不可能な第３ａの印刷要素と、第３ｂの印刷要素が一定のピッチで交互に複数配列されて成る第３の領域と、複写機で再現不可能な第４ａの印刷要素と、第４ｂの印刷要素が一定のピッチで交互に複数配列されて成る第４の領域から成り、背景潜像画像部は、第１の領域及び第４の領域から成り、潜像画像部は、第２の領域及び第３の領域から成り、第１ａの印刷要素、第２ａの印刷要素、第３ａの印刷要素及び第４ａの印刷要素は有色インキから成り、第１ｂの印刷要素、第２ｂの印刷要素、第３ｂの印刷要素及び第４ｂの印刷要素は光沢性又は光輝性インキから成り、第１の領域と第２の領域は濃度が等しく、第３の領域と第４の領域は濃度が等しく、かつ、第３の領域と第４の領域の濃度と、第１の領域と第２の領域の濃度が異なって成る印刷物であって、印刷物は、背景可視画像部及び可視画像部の濃度差によって可視画像が視認され、印刷物を複写機で複写した場合に可視画像が消失し、潜像画像部及び背景潜像画像部の濃度差によって潜像画像が顕在化することを特徴とする。
【００１５】
本発明の偽造防止用印刷物の第１ａの印刷要素、第１ｂの印刷要素、第２ａの印刷要素、第２ｂの印刷要素は、第３ａの印刷要素、第３ｂの印刷要素、第４ａの印刷要素及び第４ｂの印刷要素は、画線及び／又は画素で形成されることを特徴とする。
【００１６】
本発明の偽造防止用印刷物は、第１ａの印刷要素、第１ｂの印刷要素、第２ａの印刷要素、第２ｂの印刷要素、第３ａの印刷要素、第３ｂの印刷要素、第４ａの印刷要素及び第４ｂの印刷要素が画線で形成される場合、第１ａの印刷要素及び第２ａの印刷要素は同一画線上に配置され、第１ｂの印刷要素及び第２ｂの印刷要素が同一画線上に配置され、第３ａの印刷要素及び第４ａの印刷要素は同一画線上に配置され、第３ｂの印刷要素及び第４ｂの印刷要素が同一画線上に配置されることを特徴とする。
【００１７】
本発明の偽造防止用印刷物は、第２ａの印刷要素及び／又は第４ａの印刷要素が画線で形成される場合、第２ａの印刷要素及び／又は第４ａの印刷要素は、画線部と非画線部が一定の周期で繰り返される破断線で形成されることを特徴とする。
【００１８】
第１ｂの印刷要素、第２ｂの印刷要素、第３ｂの印刷要素及び第４ｂの印刷要素が画線で形成される場合、実線で形成されることを特徴とする。
【００１９】
本発明の偽造防止用印刷物は、第１ａの印刷要素及び第２ａの印刷要素の所定領域の面積率が等しく、第１ｂの印刷要素及び第２ｂの印刷要素の所定領域の面積率が等しいことで、第１の領域と第２の領域の濃度が等しく、第３ａの印刷要素及び第４ａの印刷要素の所定領域の面積率が等しく、第３ｂの印刷要素及び第４ｂの印刷要素の所定領域の面積率が等しいことで、第３の領域と第４の領域の濃度が等しいことを特徴とする。
【００２０】
本発明の偽造防止用印刷物の有色インキは、基材に印刷した場合に反射濃度０．８以上を成し、光沢性又は光輝性インキは、金又は銀インキであることを特徴とする。
【発明の効果】
【００２１】
本発明の偽造防止用印刷物は、偽造防止領域に形成された潜像部が有色インキで形成された第２ａの印刷要素と、光沢性又は光輝性インキで形成された第２ｂの印刷要素が交互に配列することで、光沢性又は光輝性インキで形成された第２ｂの印刷要素の反射光による表面光沢によって、あらかじめ潜像画像を形成した箇所に違和感が生じることなく、潜像画像が視認されることがない。よって、潜像画像が視認されないようにカモフラージュを施す必要がない。
【００２２】
また、本発明の偽造防止用印刷物は、高機能化、高画質化したカラー複写機又はモノクロ複写機での複写であっても、光沢性又は光輝性インキで形成された第２ｂの印刷要素の反射光によって、潜像部を形成した第２ａの印刷要素の再現性を低下させ、可視画像が明瞭に消失し、潜像画像が明瞭に出現することを可能にしているため、可視画像と潜像画像のチェンジングに優れる。よって、真偽判別性の優れる偽造防止用印刷物に成り得る。
【図面の簡単な説明】
【００２３】
【図１】偽造防止用印刷物１の構成を示す図である。
【図２】偽造防止用印刷物１を反射光での目視と複写された複写物１１、２４を示す図である。
【図３】第１の領域５、第２の領域６、第３の領域７及び第４の領域８に配置される印刷画線４の詳細な説明図である。
【図４】第２ａの画線１４ａ及び第４ａの画線１６ａの説明図である。
【図５】同一線上に配置される構成について説明図である。
【図６】複写物１１における第１の領域５、第２の領域６、第３の領域７及び第４の領域８の拡大図である。
【図７】第１の領域５、第２の領域６、第３の領域７及び第４の領域８に配置される印刷画素１８の詳細な説明図である。
【図８】複写物２４における第１の領域５、第２の領域６、第３の領域７及び第４の領域８の拡大図である。
【図９】図３に示された四つの画像領域の画線構成について、その適用範囲が示されたものである。
【図１０】図７に示された四つの画像領域の画線構成について、その適用範囲が示されたものである。
【図１１】偽造防止用印刷物１を拡散光領域と正反射光領域とで観察した状態を示す図である。
【図１２】有色インキと金属光沢インキによって印刷されている状態を示す図である。
【発明を実施するための形態】
【００２４】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。なお、下記に記載される実施例の数値は一例であり、本発明を限定されるものではない。
【００２５】
本発明の実施の形態を実施例に基づいて図面を参照して以下詳細に説明する。図１に本発明における偽造防止用印刷物１を示す。偽造防止用印刷物１は基材２の上の少なくとも一部に、偽造防止用領域３を有し、偽造防止用領域３には、少なくとも背景可視画像部５、６、可視画像部７、８、背景潜像画像部５、７及び潜像画像部６、８を有する。背景可視画像部５、６は、第１の領域５及び第２の領域６によって形成され、可視画像部７、８は、第３の領域７及び第４の領域８によって形成され、背景潜像画像部５、７は、第１の領域５及び第３の領域７によって形成され、潜像画像部６、８は、第２の領域６及び第４の領域８によって形成されて成る。第１の領域５、第２の領域６、第３の領域７及び第４の領域８に配置される印刷画線４の詳細な構成については後述するが、第１の領域５、第２の領域６、第３の領域７及び第４の領域８は、配置される印刷画線４の違いによって構成される。例えば、縦横とも５０ｍｍの偽造防止用領域３における印刷画線４は、描かれる第１の領域５、第２の領域６、第３の領域７及び第４の領域８によって任意に配置される。本例では、可視画像部７、８を「星」とし、潜像画像部６、８を「月」として説明する。
【００２６】
説明の便宜上、図１に示された偽造防止用領域３の中には「星」と「月」の図柄が視認できるが、反射光での目視においては、図２（ａ）示されたように、第１の領域５と第２の領域６は濃度が等しく（略等しい状態も含む。）、第３の領域７と第４の領域８は濃度が等しく（略等しい状態も含む。）、第３の領域７と第４の領域８の濃度は、第１の領域５と第２の領域６の濃度より、濃度が高く観察されている。これにより、図２（ａ）は反射光での目視において可視画像９の「星」の図柄を視認できる。図２（ａ）は、説明上、「月」の領域を点線で形成しているが、実際の印刷物は点線が形成されるものではなく、点線が視認されるものでもない。
【００２７】
図２（ｂ）は、図２（ａ）に示された偽造防止用印刷物１がカラー複写機又はモノクロ複写機等で複写された複写物１１が示されたものである。複写物１１における複写された偽造防止用領域１２では、第１の領域５と第３の領域７は濃度が等しく（略等しい状態も含む。）、第２の領域６と第３の領域８は濃度が等しく（略等しい状態も含む。）、第１の領域５と第３の領域７の濃度より、第２の領域６と第３の領域８の濃度が低く観察されている。つまり、背景潜像画像部５、７の濃度よりも潜像画像部６、８の濃度が低く観察されている。これにより、図２（ｂ）は反射光での目視において潜像画像１０の「月」の図柄を視認でき、偽造防止用印刷物１がカラー複写機又はモノクロ複写機等で複写された複写物１１では、可視画像９と潜像画像１０が入れ替わるという劇的な変化を奏することになる。このように、本発明の偽造防止用印刷物１は、可視画像９と潜像画像１０の一部が重複して明瞭にチェンジすることで、真偽判別性を向上させている。以下、本発明の偽造防止用印刷物１の詳細な構成について説明する。
【００２８】
（偽造防止用領域）
図２（ａ）に示された偽造防止用領域３を拡大すると、図３（ａ）〜（ｄ）に示されたような、それぞれ異なる印刷画線４を有する。図３（ａ）に示す印刷画線４は第１の領域５を構成する画線であり、図３（ｂ）に示す印刷画線４は第２の領域６を構成する画線であり、図３（ｃ）に示す印刷画線４は第３の領域７を構成する画線であり、図３（ｄ）に示す印刷画線４は第４の領域８を構成する画線である。第１の領域５、第２の領域６、第３の領域７及び第４の領域８に設けられた印刷画線４は、中心線Ｌ１と中心線Ｌ２とが交互に等間隔のピッチで配置されている。中心線Ｌ１と中心線Ｌ２の間隔ｄは３００μｍとしていが、本発明の効果を奏する範囲で設定するためこの限りではない。中心線Ｌ１と中心線Ｌ２の間隔ｄは１５０〜３００μｍが望ましい。なお、中心線Ｌ１又は中心線Ｌ２上の位置関係がわかるように、一部中心線（点線）で表しているが実際の偽造防止用印刷物１には印刷されるものではない。また、中心線Ｌ１及び中心線Ｌ２は、交互に配置されていれば、直万線状、波万線、同心円万線等いずれの構成でもよい。
【００２９】
（第１の領域）
図３（ａ）に示された第１の領域５は、背景可視画像部及び背景潜像画像部の形成のための領域である。第１の領域５は、印刷画線が複写機で再現可能な大きさの画像部であって、第１の画線面積率を有する第１ａの印刷要素である第１ａの画線１３ａと、第２の画線面積率を有する第１ｂの印刷要素である第１ｂの画線１３ｂが複数配置されている。具体的には、第１ａの画線１３ａが中心線Ｌ１上に、画線幅５５μｍ（数値については一例である）の有色インキによる実線の画線として配置され、第１ｂの画線１３ｂが中心線Ｌ２上に画線幅２５０μｍ（数値については一例である）の光沢性又は光輝性インキによる実線の画線として配置している。したがって、第１の領域５における第１ａの画線１３ａの第１の画線面積率は約９％となり、第１の領域５における第１ｂの画線１３ｂの第２の画線面積率は約４１％となる。第１ａの画線１３ａの画線幅は複写機の性能にもよるが、５０μｍ以上が望ましい。また、第１ｂの画線１３ｂの画線幅は特に限定されるものではないが、５０μｍ以上が望ましい。
【００３０】
（第２の領域）
図３（ｂ）に示された第２の領域６は、背景可視画像部及び潜像画像部の形成のための領域である。第２の領域６は、印刷画線が複写機で再現不可能な大きさの画像部であって、第１の領域５の画線面積率と等しい第３の画線面積率を有する第２ａの印刷要素である第２ａの画線１４ａと、第４の画線面積率を有する第２ｂの印刷要素である第２ｂの画線１４ｂが複数配列されている。具体的には、第２ａの画線１４ａが中心線Ｌ１上に画線幅２０７μｍ、中心線の長手方向に画線幅３５μｍかつ１４５μｍピッチで破断線状（数値については一例である）に画線が配置され、第２ｂの画線１４ｂが中心線Ｌ２上に画線幅２５０μｍ（数値については一例である）の光沢性又は光輝性インキによる実線の画線として配置している。したがって、第２の領域６における第２ａの画線１４ａの第３の画線面積率は、第１の領域５における第１ａの画線１３ａの第１の画線面積率と同じく約９％となり、第２の領域６における第２ｂの画線１４ｂの第４の画線面積率は、第１の領域５における第１ｂの画線１３ｂの第２の画線面積率と同じく約４１％となる。また、第２ｂの画線１４ｂの画線幅は特に限定されるものではないが、５０μｍ以上が望ましい。
【００３１】
（第３の領域）
図３（ｃ）に示された第３の領域７は、可視画像部及び背景潜像画像部の形成のための領域である。第３の領域７は、印刷画線が複写機で再現可能な大きさの画像部であって、第５の画線面積率を有する第３ａの印刷要素である第３ａの画線１５ａと、第６の画線面積率を有する第３ｂの印刷要素である第３ｂの画線１５ｂが複数配置されている。具体的には、第３ａの画線１５ａが中心線Ｌ１上に、画線幅５５μｍ（数値については一例である）の有色インキによる実線の画線として配置され、第３ｂの画線１５ｂが中心線Ｌ２上に画線幅３２０μｍ（数値については一例である）の光沢性又は光輝性インキによる実線の画線として配置している。したがって、第３の領域７における第３ａの画線１５ａの第５の画線面積率は約９％となり、第３の領域７における第３ｂの画線１５ｂの第６の画線面積率は約５３％となる。また、第３の領域７における第３ａの画線１５ａの第５の画線面積率は、第１ａの画線１３ａの第１の画線面積率及び第２の領域６における第２ａの画線１４ａの第３の画線面積率と同じく約９％となる。第３ａの画線１５ａの画線幅は複写機の性能にもよるが、５０μｍ以上が望ましい。また、第３ｂの画線１５ｂの画線幅は特に限定されるものではないが、６０μｍ以上が望ましい。
【００３２】
（第４の領域）
図３（ｄ）に示された第４の領域８は、可視画像部及び潜像画像部の形成のための領域である。第４の領域８は、印刷画線が複写機で再現不可能な大きさの画像部であって、第３の領域７の画線面積率と等しい第７の画線面積率を有する第４ａの印刷要素である第４ａの画線１６ａと、第８の画線面積率を有する第４ｂの印刷要素である第４ｂの画線１６ｂが複数配列されている。具体的には、第４ａの画線１６ａが中心線Ｌ１上に画線幅２０７μｍ、中心線の長手方向に画線幅３５μｍかつ１４５μｍピッチで破断線状（数値については一例である）に画線が配置され、第４ｂの画線１６ｂが中心線Ｌ２上に画線幅３２０μｍ（数値については一例である）の光沢性又は光輝性インキによる実線の画線として配置している。したがって、第４の領域８における第４ａの画線１６ａの第７の画線面積率は、第３の領域７における第３ａの画線１５ａの第５の画線面積率と同じく約９％となり、第４の領域８における第４ｂの画線１６ｂの第８の画線面積率は、第３の領域７における第３ｂの画線１５ｂの第６の画線面積率と同じく約５３％となる。また、第４の領域８における第４ａの画線１６ａの第７の画線面積率は、第１ａの画線１３ａの第１の画線面積率、第２の領域６における第２ａの画線１４ａの第３の画線面積率及び第３の領域７における第３ａの画線１５ａの第５の画線面積率と同じく約９％となる。また、第３ｂの画線１５ｂの画線幅は特に限定されるものではないが、６０μｍ以上が望ましい。
【００３３】
第２ａの画線１４ａ及び第４ａの画線１６ａの破断線状の画線について詳しく説明する。
図４（ａ）に示す第２ａの画線１４ａ及び第４ａの画線１６ａは、画線部１７ａと非画線部１７ｂが一定の周期Ｄｘ１７で繰り返される破断線で構成された例である。このとき、印刷画線が一定のピッチｐ１で配置される方向の画線部の幅をＷｙ１７とし、印刷画線の方向である、すなわち、破断線方向の画線部の幅をＷｘ１７とすると、画線部の幅Ｗｘ１７が複写機で再現されない大きさで形成される。大きさについては、複写機の性能にもよるが、複写されない大きさとして５０μｍより小さい大きさである。画線部と非画線部の周期Ｄｘ１７が小さくなるほど画線部１７ａ同士が接近して、複写機で複写されやすくなる傾向にあることから、第２ａの画線１４ａ及び第４ａの画線１６ａが複写機で再現されないように画線部と非画線部の周期Ｄｘ１7を適宜調整する必要がある。これと併せて、第１ａの画線１３ａ及び第２ａの画線１４ａの面積率を等しくするため、第１ａの画線１３ａの面積率に応じて、第２ａの画線１４ａの画線部の幅Ｗｘ１7、Ｗｙ１7及び画線部と非画線部の周期Ｄｘ１7を適宜調整する必要がある。同様に、第３ａの画線１５ａ及び第４ａの画線１６ａの面積率を等しくするため、第３ａの画線１５ａの面積率に応じて、第４ａの画線１６ａの画線部の幅Ｗｘ１7、Ｗｙ１7及び画線部と非画線部の周期Ｄｘ１7を適宜調整する必要がある。
【００３４】
図４（ａ）は、潜像画像部を形成する第２ａの画線１４ａ及び第４ａの画線１６ａの一部拡大図であるため、画線部１７ａと非画線部１７ｂを区分けして視認することができるが、実際の偽造防止用印刷物１を目視した場合には、大きさと周期Ｄｘ１7が小さいため、目視で区分けすることができず、第２ａの画線１４ａ及び第４ａの画線１６ａに配置される画線（図４中の破線で囲む部分）が一つの画線として視認される。なお、実線の画線である、本発明における第１ａの画線１３ａと、分断線である第２ａの画線１４ａの面積率を等しくするための構成、第３ａの画線１５ａと、分断線である第４ａの画線１６ａの面積率を等しくするための構成については、特許第３２６８４１８号や複写防止画線の技術において、公知となっている。
【００３５】
なお、第２ａの画線１４ａ及び第４ａの画線１６ａが破断線で構成される場合、図４（ａ）に示す破断線に対して、図４（ｂ）に示すように、第２ａの画線１４ａ及び第４ａの画線１６ａが傾斜した構成としても良い。なお、上記説明では、第２ａの画線１４ａ及び第４ａの画線１６ａについて破断線状の画線で説明しているが本発明は、この形状に限定されるものではなく、複写機で複写した場合に再現できない構成であればよい。詳細については後述する。
【００３６】
本例では、背景潜像画像部５、７及び潜像画像部６、８の境界部分において、図５に示すように、背景潜像画像部５に配置される第１ａの画線１３ａと、潜像画像部６に配置される第２ａの画線１４ａが同一線上に配置され、背景潜像画像部７に配置される第３ａの画線１５ａと、潜像画像部８に配置される第４ａの画線１６ａが同一線上に配置される構成について説明する。なお、第１ａの画線１３ａと第２ａの画線１４ａが同一線状に配置、第３ａの画線１５ａと第４ａの画線１６ａが同一線状に配置されるとは、図５において一点鎖線で図示するそれぞれの画線の中心線Ｔが同じことである。この第１ａの画線１３ａと第２ａの画線１４ａの関係、第３ａの画線１５ａと第４ａの画線１６ａの関係は、特許第３２６８４１８号に記載の複写防止画線の構成と同様である。このとき、第１ａの画線１３ａと第２ａの画線１４ａ、第３ａの画線１５ａと第４ａの画線１６ａは、目視で一つの直線状の画線として見えるため、潜像が形成されていることを隠蔽する最も優れた形態である。
【００３７】
なお、反射光下で可視画像９が観察される原理については後述するが、本発明において、第１ａの画線１３ａと第２ａの画線１４ａ、第３ａの画線１５ａと第４ａの画線１６ａの中心線の位置が異なる配置であっても、潜像画像１０を認識することができない範囲であれば問題ない。これは、第１ａの画線１３ａと第２ａの画線１４ａ、第３ａの画線１５ａと第４ａの画線１６ａの中心の位置が異なっても、反射光下で観察される中心線の位置が異なることで、顕像化する潜像画像１０よりも、第１ａの画線１３ａ間に配置される光沢性又は光輝性インキによる第１ｂの画線１３ｂ、第２ａの画線１４ａ間に配置される光沢性又は光輝性インキによる第２ｂの画線１４ｂ、第３ａの画線１３ａ間に配置される光沢性又は光輝性インキによる第３ｂの画線１５ｂ、第４ａの画線１６ａ間に配置される光沢性又は光輝性インキによる第４ｂの画線１６ｂによって、光沢又は金属光沢の影響を受けて反射光の視認性の方が強く、潜像画像１０が認識され難い状態となるからである。
【００３８】
（可視画像）
図２（ａ）に示された可視画像９は、背景可視画像部５、６と可視画像部７、８の濃度差によって形成される。さらに、具体的には、図３に示された背景可視画像部を構成する第１ａの画線１３ａ、第１ｂの画線１３ｂ、第２ａの画線１４ａ及び第２ｂの画線１４ｂの濃度と、可視画像部を構成する第３ａの画線１５ａ、第３ｂの画線１５ｂ、第４ａの画線１６ａ及び第４ｂの画線１６ｂの濃度の違いによって形成されている。
【００３９】
（潜像画像）
図２（ｂ）に示された潜像画像１０は、背景潜像画像部５、７と潜像画像部６、８の濃度差によって形成される。さらに、具体的には、図３に示された背景潜像画像部を構成する第１ａの画線１３ａ、第１ｂの画線１３ｂ、第３ａの画線１５ａ及び第３ｂの画線１５ｂの濃度と、潜像画像部を構成する第２ａの画線１４ａ、第２ｂの画線１４ｂ、第４ａの画線１６ａ及び第４ｂの画線１６ｂの濃度の違いによって形成されている。
【００４０】
図２（ｂ）は、図２（ａ）がカラー複写機又はモノクロ複写機にて複写された状態が示されたもので、図２（ｂ）の偽造防止用領域３を拡大すると、図６に示されたような、それぞれ異なる印刷画線を有する第１の領域５、第２の領域６、第３の領域７及び第４の領域８が示されたものである。図６（ａ）に示された複写物１１における第１の領域５は、中心線Ｌ２上に備わった画線幅５５μｍによる第１ａの印刷要素である第１ａの画線１３ａが略そのまま再現されている。また、中心線Ｌ２上に備わった画線幅２５０μｍの第１ｂの印刷要素である第１ｂの画線１３ｂが、光沢性又は光輝性インキによる光沢又は金属光沢の影響を受け、元の画線幅を保持できず、さらに黒味のグレー色で再現される（画線のサイズ、濃度によってはほとんど再現されない場合もある）。これは、カラー複写機又はモノクロ複写機の光学式入力部（フラットベット・スキャナ部）が、偽造防止用印刷物１上の光沢性又は光輝性インキを正しく画像化できないのと、カラー複写機又はモノクロ複写機がもともと光沢性又は光輝性インキを備えてないために、シアン、マゼンタ、イエロー又はブラックから成る混色で擬似的に光沢性又は光輝性インキを表現することによって生ずるものである。
【００４１】
図６（ｂ）に示された複写物１１における第２の領域６は、中心線Ｌ１上に備わっていた第２ａの印刷要素である第２ａの画線１４ａは再現されていない。また、光沢性又は光輝性インキで形成された第２ｂの印刷要素である第２ｂの画線１４ｂは、画線自体の反射光が強く、その反射光によって、潜像部を形成した第２ａの印刷要素１４ａの再現性を従来よりも低下させ、潜像画像を明瞭に出現させる効果を有している。また、中心線Ｌ２上に備わった画線幅２５０μｍの第２ｂの印刷要素である第２ｂの画線１４ｂが、光沢性又は光輝性インキによる光沢又は金属光沢の影響を受け、元の画線幅を保持できず、さらに黒味のグレー色で再現される（画線のサイズ、濃度によってはほとんど再現されない場合もある）。これは、図６（ａ）に示された第１ｂの印刷要素である第１ｂの画線１３ｂと同じ要因によるものである。
【００４２】
図６（ｃ）に示された複写物１１における第３の領域７は、中心線Ｌ２上に備わった画線幅５５μｍによる第３ａの印刷要素である第３ａの画線１５ａが略そのまま再現されている。また、中心線Ｌ２上に備わった画線幅３２０μｍの第３ｂの印刷要素である第３ｂの画線１５ｂが、光沢性又は光輝性インキによる光沢又は金属光沢の影響を受け、元の画線幅を保持できず、さらに黒味のグレー色で再現される（画線のサイズ、濃度によってはほとんど再現されない場合もある）。これは、カラー複写機又はモノクロ複写機の光学式入力部（フラットベット・スキャナ部）が、偽造防止用印刷物１上の光沢性又は光輝性インキを正しく画像化できないのと、カラー複写機又はモノクロ複写機がもともと光沢性又は光輝性インキを備えてないために、シアン、マゼンタ、イエロー又はブラックから成る混色で擬似的に光沢性又は光輝性インキを表現することによって生ずるものである。これにより、図６（ａ）で示された第１の領域５と、図６（ｃ）で示された第３の領域７とは、目視において略等濃度で視認される。
【００４３】
図６（ｄ）に示された複写物１１における第４の領域８は、中心線Ｌ１上に備わっていた第４ａの印刷要素である第４ａの画線１６ａは再現されていない。また、光沢性又は光輝性インキで形成された第４ｂの印刷要素である第４ｂの画線１６ｂは、画線自体の反射光が強く、その反射光によって、潜像部を形成した第４ａの印刷要素１６ａの再現性を従来よりも低下させ、潜像画像を明瞭に出現させる効果を有している。また、中心線Ｌ２上に備わった画線幅３２０μｍの第４ｂの印刷要素である第４ｂの画線１６ｂが、光沢性又は光輝性インキによる光沢又は金属光沢の影響を受け、元の画線幅を保持できず、さらに黒味のグレー色で再現される（画線のサイズ、濃度によってはほとんど再現されない場合もある）。これは、図６（ｃ）に示された第３ｂの印刷要素である第３ｂの画線１５ｂと同じ要因によるものである。これにより、図６（ｂ）で示された第２の領域６と、図６（ｄ）で示された第４の領域８とは、目視において略等濃度で視認される。したがって、図２（ｂ）に示されたように、反射光での目視において潜像画像１０の「月」の図柄を視認でき、偽造防止用印刷物１がカラー複写機又はモノクロ複写機等で複写された複写物１１では、可視画像９と潜像画像１０が入れ替わるという劇的な変化を奏することになる。
【００４４】
（画素の例）
次に、有色インキと光沢性又は光輝性インキによって印刷される画線が、画素（点図形によって構成された例を説明する。ここで言う、画素とは、画像を構成する最小単位の要素であり、その形状は特に限定されるものではない。
【００４５】
（偽造防止用領域）
図２（ａ）に示された偽造防止用領域３を拡大すると、図７（ａ）〜（ｄ）に示されたような、それぞれ異なる印刷画素１８を有する。図７（ａ）に示す印刷画素１８は第１の領域５を構成する画素であり、図７（ｂ）に示す印刷画素１８は第２の領域６を構成する画素であり、図７（ｃ）に示す印刷画素１８は第３の領域７を構成する画素であり、図７（ｄ）に示す印刷画素１８は第４の領域８を構成する画素である。第１の領域５、第２の領域６、第３の領域７及び第４の領域８に設けられた印刷画素１８は、中心点Ｐ１と中心点Ｐ２とがそれぞれ交互にマトリックス上に等間隔のピッチで配置されている。中心点Ｐ１と中心点Ｐ２のそれぞれの間隔Ｄは４５０μｍとしていが、本発明の効果を奏する範囲で設定するためこの限りではない。
【００４６】
（第１の領域）
図７（ａ）に示された第１の領域５は、印刷画素が複写機で再現可能な大きさの画像部であって、第１の画素面積率を有する第１ａの印刷要素である第１ａの画素１９ａと、第２の画素面積率を有する第１ｂの印刷要素である第１ｂの画素１９ｂとが複数配置されている。具体的には、第１ａの画素１９ａが中心点Ｐ１上に画素幅１００μｍの有色インキによる画素として配置され、第１ｂの画素１９ｂが中心点Ｐ２上に画素幅３００μｍの光沢性又は光輝性インキによる画素として配置している。したがって、第１の領域５における第１ａの画素１９ａの画素面積率は、第１の画素面積率である約４％となり、第１の領域５における画素の第１ｂの画素１９ｂの画素面積率は、第２の画素面積率である約３５％となる。第１ａの画素１９ａの画素幅は複写機の性能にもよるが、５０μｍ以上が望ましい。また、第１ｂの画素１９ｂの画素幅は特に限定されるものではないが、５０μｍ以上が望ましい。
【００４７】
（第２の領域）
図７（ｂ）に示された第２の領域６は、印刷画素が複写機で再現不可能な大きさの画像部であって、第１の領域５の画素面積率と等しい第３の画素面積率を有する第２ａの印刷要素である第２ａの画素２０ａと、第４の画素面積率を有する第２ｂの印刷要素である第２ｂの画素２０ｂとが複数配列されている。具体的には、第２ａの画素２０ａが中心点Ｐ１上に画素幅５０μｍの有色インキによる画素が、それぞれの最短の間隔を１５０μｍ程度に保持され、かつ光沢性又は光輝性インキによる第２ｂの画素２０ｂに四方を囲われた範囲２３で第２ａの画素２０ａが四つ配置され、第２ｂの画素２０ｂが中心点Ｐ２上に画素幅３００μｍの光沢性又は光輝性インキによる画素として配置している。したがって、第２の領域６における第２ａの画素２０ａの第３の画素面積率は、第１の領域５における第１ａの画素１９ａの第１の画素面積率と同じく約４％となり、第２の領域６における第２ｂの画素２０ｂの画素面積率は第４の画素面積率は、第１の領域５における第１ｂの画素１９ｂの第２の画素面積率と同じく約３５％となる。また、第２ｂの画線２０ｂの画線幅は特に限定されるものではないが、５０μｍ以上が望ましい。
【００４８】
（第３の領域）
図７（ｃ）に示された第３の領域７は、印刷画素が複写機で再現可能な大きさの画像部であって、第５の画素面積率を有する第３ａの印刷要素である第３ａの画素２１ａと、第６の画素面積率を有する第３ｂの印刷要素である第３ｂの画素２１ｂとが複数配置されている。具体的には、第３ａの画素２１ａが中心点Ｐ１上に画素幅１００μｍの有色インキによる画素として配置され、第３ｂの画素２１ｂが中心点Ｐ２上に画素幅３５０μｍの光沢性又は光輝性インキによる画素として配置している。したがって、第３の領域７における第３ａの画素２１ａの画素面積率は、第５の画素面積率である約４％となり、第３の領域７における画素の第３ｂの画素２１ｂの画素面積率は、第６の画素面積率である約４８％となる。第３ａの画素２１ａの画素幅は複写機の性能にもよるが、５０μｍ以上が望ましい。また、第３ｂの画素２１ｂの画素幅は特に限定されるものではないが、６０μｍ以上が望ましい。
【００４９】
（第４の領域）
図７（ｄ）に示された第４の領域８は、印刷画素が複写機で再現不可能な大きさの画像部であって、第３の領域７の画素面積率と等しい第７の画素面積率を有する第４ａの印刷要素である第４ａの画素２２ａと、第８の画素面積率を有する第４ｂの印刷要素である第４ｂの画素２２ｂとが複数配列されている。具体的には、第４ａの画素２２ａが中心点Ｐ１上に画素幅５０μｍの有色インキによる画素が、それぞれの最短の間隔を１５０μｍ程度に保持され、かつ光沢性又は光輝性インキによる第４ｂの画素２２ｂに四方を囲われた範囲２３で第４ａの画素２２ａが四つ配置され、第４ｂの画素２２ｂが中心点Ｐ２上に画素幅３５０μｍの光沢性又は光輝性インキによる画素として配置している。したがって、第４の領域８における第４ａの画素２２ａの第７の画素面積率は、第３の領域７における第３ａの画素２１ａの第５の画素面積率と同じく約４％となり、第４の領域８における第４ｂの画素２２ｂの第８の画素面積率は、第３の領域７における第３ｂの画素２１ｂの第６の画素面積率と同じく約４８％となる。また、第４の領域８における第４ａの画素２２ａの第７の画素面積率は、第１ａの画素１９ａの第１の画素面積率、第２の領域６における第２ａの画素２０ａの第３の画素面積率及び第３の領域７における第３ａの画素２１ａの第５の画素面積率と同じく約４％となる。また、第３ｂの画素２１ｂの画素幅は特に限定されるものではないが、６０μｍ以上が望ましい。
【００５０】
（可視画像）
図２（ａ）に示された可視画像９は、背景可視画像部５、６と可視画像部７、８の濃度差によって形成される。さらに、具体的には、図７に示された背景可視画像部を構成する第１ａの画素１９ａ、第１ｂの画素１９ｂ、第２ａの画素２０ａ及び第２ｂの画素２０ｂの濃度と、可視画像部を構成する第３ａの画素２１ａ、第３ｂの画素２１ｂ、第４ａの画素２１ａ及び第４ｂの画素２１ｂの濃度の違いによって形成されている。
【００５１】
（潜像画像）
図２（ｂ）に示された潜像画像１０は、背景潜像画像部５、７と潜像画像部６、８の濃度差によって形成される。さらに、具体的には、図７に示された背景潜像画像部を構成する第１ａの画素１９ａ、第１ｂの画素１９ｂ、第３ａの画素２１ａ及び第３ｂの画素２１ｂの濃度と、潜像画像部を構成する第２ａの画素２０ａ、第２ｂの画素２０ｂ、第４ａの画素２２ａ及び第４ｂの画素２２ｂの濃度の違いによって形成されている。
【００５２】
図２（ｂ）は、図２（ａ）がカラー複写機又はモノクロ複写機にて複写された状態が示されたもので、図２（ｂ）の偽造防止用領域３を拡大すると、図８に示されたような、それぞれ異なる印刷画素を有する第１の領域５、第２の領域６、第３の領域７及び第４の領域８が示されたものである。図８（ａ）に示された複写物２４における第１の領域５は、中心点Ｐ１上に備わった画素幅１００μｍによる第１ａの印刷要素である第１ａの画素１９ａが略そのまま再現されている。また、中心点Ｐ２上に備わった画素幅３００μｍの第１ｂの印刷要素である第１ｂの画素１９ｂが、光沢性又は光輝性インキによる光沢又は金属光沢の影響を受け、元の画素幅を保持できず、さらに黒味のグレー色で再現される（画素のサイズ、濃度によってはほとんど再現されない場合もある）。これは、カラー複写機又はモノクロ複写機の光学式入力部（フラットベット・スキャナ部）が、偽造防止用印刷物１上の光沢性又は光輝性インキを正しく画像化できないのと、カラー複写機又はモノクロ複写機がもともと光沢性又は光輝性インキを備えてないために、シアン、マゼンタ、イエロー又はブラックから成る混色で擬似的に光沢性又は光輝性インキを表現することによって生ずるものである。
【００５３】
図８（ｂ）に示された複写物２４における第２の領域６は、中心点Ｐ１上に備わっていた第２ａの印刷要素である第２ａの画素２０ａは再現されていない。また、光沢性又は光輝性インキで形成された第２ｂの印刷要素である第２ｂの画素２０ｂは、画素自体の反射光が強く、その反射光によって、潜像部を形成した第２ａの印刷要素２０ａの再現性を従来よりも低下させ、潜像画像を明瞭に出現させる効果を有している。また、中心点Ｐ２上に備わった画素幅３００μｍの第２ｂの印刷要素である第２ｂの画素２０ｂが、光沢性又は光輝性インキによる光沢又は金属光沢の影響を受け、元の画素幅を保持できず、さらに黒味のグレー色で再現される（画素のサイズ、濃度によってはほとんど再現されない場合もある）。これは、図８（ａ）に示された第１ｂの印刷要素である第１ｂの画素１９ｂと同じ要因によるものである。
【００５４】
図８（ｃ）に示された複写物２４における第３の領域７は、中心点Ｐ１上に備わった画素幅１００μｍによる第３ａの印刷要素である第３ａの画素２１ａが略そのまま再現されている。また、中心点Ｐ２上に備わった画素幅３５０μｍの第３ｂの印刷要素である第３ｂの画素２１ｂが、光沢性又は光輝性インキによる光沢又は金属光沢の影響を受け、元の画素幅を保持できず、さらに黒味のグレー色で再現される（画素のサイズ、濃度によってはほとんど再現されない場合もある）。これは、カラー複写機又はモノクロ複写機の光学式入力部（フラットベット・スキャナ部）が、偽造防止用印刷物１上の光沢性又は光輝性インキを正しく画像化できないのと、カラー複写機又はモノクロ複写機がもともと光沢性又は光輝性インキを備えてないために、シアン、マゼンタ、イエロー又はブラックから成る混色で擬似的に光沢性又は光輝性インキを表現することによって生ずるものである。これにより、図８（ａ）で示された第１の領域５と、図８（ｃ）で示された第３の領域７とは、目視において略等濃度で視認される。
【００５５】
図８（ｄ）に示された複写物２４における第４の領域８は、中心点Ｐ１上に備わっていた第４ａの印刷要素である第４ａの画素２２ａは再現されていない。また、光沢性又は光輝性インキで形成された第４ｂの印刷要素である第４ｂの画素２２ｂは、画素自体の反射光が強く、その反射光によって、潜像部を形成した第４ａの印刷要素２２ａの再現性を従来よりも低下させ、潜像画像を明瞭に出現させる効果を有している。また、中心点Ｐ２上に備わった画素幅３２０μｍの第４ｂの印刷要素である第４ｂの画素２２ｂが、光沢性又は光輝性インキによる光沢又は金属光沢の影響を受け、元の画素幅を保持できず、さらに黒味のグレー色で再現される（画素のサイズ、濃度によってはほとんど再現されない場合もある）。これは、図８（ｃ）に示された第３ｂの印刷要素である第３ｂの画素２２ｂと同じ要因によるものである。これにより、図８（ｂ）で示された第２の領域６と、図８（ｄ）で示された第４の領域８とは、目視において略等濃度で視認される。したがって、図２（ｂ）に示されたように、反射光での目視において潜像画像１０の「月」の図柄を視認でき、偽造防止用印刷物１がカラー複写機又はモノクロ複写機等で複写された複写物２４では、可視画像９と潜像画像１０が入れ替わるという劇的な変化を奏することになる。
【００５６】
（画線構成及びその形態）
次に本願発明における画線構成及びその形態について説明する。図９は、図３に示された第１の領域５、第２の領域６、第３の領域７及び第４の領域８の画線構成について、その適用範囲が示されたものである。図９（ａ）は、図３（ａ）に示された第１の領域５の部分拡大図であり、６００μｍ四方のユニットの中に、有色インキから成る第１ａの画線１３ａを中心として構成され、光沢性又は光輝性インキから成る第１ｂの画線１３ｂとが含まれたものである。また、図９（ａ）は、図３（ｃ）に示された第３の領域７の部分拡大図であり、６００μｍ四方のユニットの中に、有色インキから成る第３ａの画線１５ａを中心として構成され、光沢性又は光輝性インキから成る第３ｂの画線１５ｂとが含まれたものである。
【００５７】
図９（ｂ）は、図３（ｂ）に示された第２の領域６の部分拡大図であり、６００μｍ四方のユニットの中に、有色インキから成る第２ａの画線１４ａが等間隔に配置され、光沢性又は光輝性インキから成る第２ｂの画線１４ｂが含まれたものである。また、図９（ｂ）は、図３（ｄ）に示された第４の領域８の部分拡大図であり、６００μｍ四方のユニットの中に、有色インキから成る第４ａの画線１６ａが等間隔に配置され、光沢性又は光輝性インキから成る第４ｂの画線１６ｂが含まれたものである。
【００５８】
本願発明の効果を奏する画線構成として、図９（ｂ）に示された第２ａの画線１４ａは、図９（ａ）に示された第１ａの画線１３ａに対して細分化された画線であることが求められる。同様に、図９（ｂ）に示された第４ａの画線１６ａは、図９（ａ）に示された第３ａの画線１５ａに対して細分化された画線であることが求められる。したがって、図９（ｃ）に示された６００μｍ四方のユニット内の第２ａの画線１４ａ又は第４ａの画線１６ａのように、法線方向に２分割（又は３分割）された画線でもよい。この構成については、特許第３３６８３２７号に記載の技術である。また、分割された画線を更に分断しても良い（図示せず）。また、この構成は、特許第３６８９７８６号に記載の１本の画線から複数に分岐し、かつ、一定の間隔で画線部と非画線部が配列された定周期断絶線の構成であっても良い。このとき、図９（ａ）に示された第１ａの画線１３ａの画線面積率と、図９（ｃ）に示された第２ａの画線１３ａの画線面積率とが同じあることが求められる。同様に、図９（ａ）に示された第３ａの画線１５ａの画線面積率と、図９（ｃ）に示された第４ａの画線１６ａの画線面積率とが同じあることが求められる。
【００５９】
図１０は、図７に示された第１の領域５、第２の領域６、第３の領域７及び第４の領域８の画素構成について、その適用範囲が示されたものである。図１０（ａ）は、図７（ａ）に示された第１の領域５の部分拡大図であり、例えば、４５０μｍ四方のユニットの中に、有色インキから成る第１ａの画素１９ａを中心として構成され、光沢性又は光輝性インキから成る第１ｂの画素１９ｂとが含まれたものである。同様に、図１０（ａ）は、図７（ｃ）に示された第３の領域７の部分拡大図であり、例えば、４５０μｍ四方のユニットの中に、有色インキから成る第３ａの画素２１ａを中心として構成され、光沢性又は光輝性インキから成る第３ｂの画素２１ｂとが含まれたものである。
【００６０】
図１０（ｂ）は、図７（ｂ）に示された第２の領域６の部分拡大図であり、例えば、６００μｍ四方のユニットの中に、有色インキから成る第２ａの画素２０ａが範囲２６の中に間隔Ｄを例えば、１５０μｍもって四つ配置され、範囲２７の四方に光沢性又は光輝性インキから成る第２ｂの画素２０ｂが含まれたものである。同様に、図１０（ｂ）は、図７（ｄ）に示された第４の領域８の部分拡大図であり、例えば、６００μｍ四方のユニットの中に、有色インキから成る第４ａの画素２２ａが範囲２６の中に間隔Ｄを例えば、１５０μｍもって四つ配置され、範囲２７の四方に光沢性又は光輝性インキから成る第４ｂの画素２２ｂが含まれたものである。
【００６１】
本願発明の効果を奏する画素構成として、図１０（ｂ）に示された第２ａの画素２０ａは、図１０（ａ）に示された第１ａの画素１９ａに対して細分化された画素であることが求められる。したがって、図１０（ｃ）に示された例えば、４５０μｍ四方のユニット内の第２ａの画素２０ａのように、九つ配置された画素でもよい。このとき、範囲２６中において間隔Ｄを例えば、１００μｍとし、図１０（ａ）に示された第１ａの画素１９ａの画素面積率と、図１０（ｃ）に示された第２ａの画素２０ａの画素面積率とが同じあることが求められる。同様に、図１０（ｄ）に示された第４ａの画素２２ａは、図１０（ｃ）に示された第１ａの画素２１ａに対して細分化された画素であることが求められる。したがって、図１０（ｃ）に示された例えば、４５０μｍ四方のユニット内の第４ａの画素２２ａのように、９つ配置された画素でもよい。このとき、範囲２６中において間隔Ｄを例えば、１００μｍとし、図１０（ａ）に示された第３ａの画素２１ａの画素面積率と、図１０（ｃ）に示された第４ａの画素２２ａの画素面積率とが同じあることが求められる。
【００６２】
なお、本願発明における基材２は紙、合成樹脂等、平面を成す白色の素であれば何ら限定するものではない。また、本発明に用いられる有色インキも何ら限定するものではないが、インキのベタ濃度（黒インキでの測定）が少なくとも０．８以上であることが望ましい。さらに、本発明に用いられる光沢性又は光輝性インキも、金属光沢を備えたものであれば真鍮粉、アルミニウム粉等を主成分とする金、銀インキ等何ら限定するものではなく、できうる限り高い金属光沢を有することが望ましい。ただし、金インキ又は銀インキを用いることが望ましい。印刷方式は、オフセット、グラビア、インクジェットプリンタ、レーザプリンタ等、特に限定されるものではない。
【００６３】
また、金属光沢を備えたインキを用いることから、金属光沢差を使用した不可視画像の付与も可能である。図１２は、基材２無光沢画像２５は「Ｎ」の文字を構成している。図１２（ａ）に示される背景部４と潜像部５から成る印刷画線４は、有色インキと金属光沢インキによって印刷されている。一方、無光沢画像２５は無色透明インキを用いてベタ刷りにより印刷されている。この無光沢画像２５と、背景部４と、潜像部５との配置と特別な位置関係は無い。
【００６４】
図１１は、印刷画線４が印刷された偽造防止用印刷物１において、偽造防止用印刷物１を拡散光領域と正反射光領域とで観察したときのそれぞれの照明光源２７と視点２８と偽造防止用印刷物１の位置関係を図示したものである。照明光源２７と視点２８と偽造防止用印刷物１が図１１（ａ）の位置関係にあるとき、拡散光領域で観察したことになり、照明光源２７と視点２８と偽造防止用印刷物１が図１１（ｂ）の位置関係にあるとき、正反射光領域で観察したことになる。
【００６５】
図１１（ａ）で示されたように、拡散光領域で偽造防止用印刷物１を目視で観察した場合、図１２（ａ）で示されたように、印刷画線４上に施された無色透明インキから成る無光沢画像２５は完全に透過しているので、金属光沢インキを含む印刷画線４のみが確認できる。一方、図１１（ｂ）に示されたように、正反射光領域で偽造防止用印刷物１を目視で観察した場合、図１２（ｂ）で示されたように、金属光沢インキを含む印刷画線４は、正反射光がもたらす光輝性の作用によって明度が高まり、無色透明インキから成る無光沢画像２５の部分については、印刷画線４の光輝性の作用が抑制される。これにより、無光沢画像２５のみが光輝性の違いで強調されて視認される。したがって、印刷画線４と無光沢画像２５の「Ｎ」の文字とが一部が重複して明瞭にチェンジして観察されることで、真偽判別性を向上させている。
【符号の説明】
【００６６】
１          偽造防止用印刷物
２          基材
３          偽造防止用領域
４          印刷画線
５、６          背景可視画像部
７、８          可視画像部
５、８          背景潜像画像部
６、７          潜像画像部
５          第１の領域
６          第２の領域
７          第３の領域
８          第４の領域
９          可視画像
１１、２４          複写物
１２          偽造防止用領域
１０          潜像画像
１３ａ          第１ａの画線
１３ｂ          第１ｂの画線
１４ａ          第２ａの画線
１４ｂ          第２ｂの画線
１５ａ          第３ａの画線
１５          ｂ第３ｂの画線
１６ａ          第４ａの画線
１６ｂ          第４ｂの画線
１７ａ          画線部
１７ｂ          非画線部
１８          印刷画素
１９ａ          第１ａの画素
１９ｂ          第１ｂの画素
２０ａ          第２ａの画素
２０ｂ          第２ｂの画素
２１ａ          第３ａの画素
第３ｂの画素          ２１ｂ
第４ａの画素          ２２ａ
第４ｂの画素          ２２ｂ
２３、２６          範囲
２５          無光沢画像
２７          照明光源
２８          視点
ｄ          間隔
Ｄ          間隔
Ｌ１          第１ａの画線及び第２ａの画線の中心線
Ｌ２          第１ｂの画線及び第２ｂの画線の中心線
Ｐ１          第１ａの画素及び第２ａの画素の中心点
ｐ１          ピッチ
Ｐ２          第１ｂの画素及び第２ｂの画素の中心点
【要約】
【課題】  本明発明は、あらかじめ潜像画像を埋め込んだ箇所に違和感がなく、高機能化、高画質化となった複写機で複写された場合であっても、可視画像が消失し潜像画像の出現性が優れる偽造防止用印刷物に関する。
【解決手段】    基材上に背景可視画像部、可視画像部、背景潜像画像部及び潜像画像部を有し、背景可視画像部は、第１の領域と第２の領域から成り、可視画像部は、第３の領域と第４の領域から成り、  背景潜像画像部は、第１の領域と第４の領域から成り、潜像画像部は、第２の領域と第３の領域から成り、各領域は有色インキから成る印刷要素と光沢性又は光輝性インキから成る印刷要素が交互に配列された偽造防止用印刷物である。
【選択図】  図１０【図１】
0005692673.tif 000002
【図２】
0005692673.tif 000003
【図３】
0005692673.tif 000004
【図４】
0005692673.tif 000005
【図５】
0005692673.tif 000006
【図６】
0005692673.tif 000007
【図７】
0005692673.tif 000008
【図８】
0005692673.tif 000009
【図９】
0005692673.tif 000010
【図１０】
0005692673.tif 000011
【図１１】
0005692673.tif 000012
【図１２】
0005692673.tif 000013